(57)【要約】  建材配置処理装置は、建材を取り付ける対象となる複数の対象面が含まれる３次元データを記憶する記憶部から対象面のデータを取得する第１取得部と、対象面に取り付ける建材の基準寸法として指定された寸法に関する情報を受け付ける受付部と、３次元データと指定された寸法とに基づいて、複数の対象面に配置する建材の数量、寸法、及び配置に関する配置情報を所定の配置ルールに従って生成する配置情報生成部と、配置情報生成部が生成した前記配置情報を出力する出力部と、を備え、配置情報生成部は、複数の対象面のうちの第１対象面と第２対象面との出隅部分および／または入隅部分に、第１対象面と第２対象面とに渡って取り付けられる特定の形状および寸法の特定建材を配置する配置情報を生成する。
2020138416.tif 000002
【特許請求の範囲】
【請求項１】
建材を取り付ける対象となる複数の対象面が含まれる３次元データを記憶する記憶部から前記対象面のデータを取得する第１取得部と、
前記対象面に取り付ける建材の基準寸法として指定された寸法に関する情報を受け付ける受付部と、
前記３次元データと前記指定された寸法とに基づいて、複数の前記対象面に配置する建材の数量、寸法、及び配置に関する配置情報を所定の配置ルールに従って生成する配置情報生成部と、
前記配置情報生成部が生成した前記配置情報を出力する出力部と、
を備え、
前記配置情報生成部は、
複数の前記対象面のうちの第１対象面と第２対象面との出隅部分および／または入隅部分に、前記第１対象面と前記第２対象面とに渡って取り付けられる特定の形状および寸法の特定建材を配置する前記配置情報を生成する、
建材配置処理装置。
【請求項２】
前記配置情報生成部は、
前記受付部が受け付けた寸法と前記第１対象面の寸法と前記第２対象面の寸法とに基づいて前記特定建材の寸法を決定するとともに、前記第１対象面と前記第２対象面との出隅部分および／または入隅部分の角度に基づいて前記特定建材の形状を決定する、
請求項１に記載の建材配置処理装置。
【請求項３】
前記受付部は、
前記対象面に取り付ける建材の基準寸法として任意に指定された寸法に関する情報を受け付ける、
請求項１または請求項２に記載の建材配置処理装置。
【請求項４】
前記建材に関する情報を記憶する記憶部から前記建材の単位面積あたりの重量に関する重量情報を取得する第２取得部と、
前記配置情報生成部が生成した配置情報と前記重量情報とに基づいて、前記対象面に取り付ける建材の重量を算出する算出部と、
を備え、
前記出力部は、
前記配置情報生成部が生成した前記配置情報と、前記算出部が算出した重量に関する情報が少なくとも含まれる属性情報とを関連付けて出力する、
請求項１から請求項３のいずれか一項に記載の建材配置処理装置。
【請求項５】
前記建材の重量は、前記建材の防火性能によって異なる、
請求項４に記載の建材配置処理装置。
【請求項６】
複数種類の前記建材の中から国ごとに定められた基準に基づく建材を選択する建材選択部、
を備え、
前記配置情報生成部は、
前記建材選択部により選択された建材を前記対象面に配置する建材として前記配置情報を生成し、
前記算出部は、
前記建材選択部により選択された建材を前記対象面に取り付ける場合の重量を算出する、
請求項４または請求項５に記載の建材配置処理装置。
【請求項７】
前記属性情報には、前記対象面に取り付ける建材の色、仕上げ、またはコストに関する情報が含まれる、
請求項４から請求項６のいずれか一項に記載の建材配置処理装置。
【請求項８】
前記受付部は、
前記指定された建材の色、仕上げ、または該建材を前記対象面に取り付ける際の向きもしくは配置パターンに関する情報をさらに受け付け、
前記配置情報生成部は、
前記受付部が受け付けた情報に基づいて前記配置情報を生成する、
請求項１から請求項７のいずれか一項に記載の建材配置処理装置。
【請求項９】
前記配置情報に基づいて、前記対象面に建材が取り付けられた状態のイメージを生成するイメージ生成部、をさらに備え、
前記出力部は、
前記イメージ生成部が生成した前記イメージを前記配置情報に関連付けて出力する、
請求項１から請求項８のいずれか一項に記載の建材配置処理装置。
【請求項１０】
建材配置処理装置における建材配置方法であって、
第１取得部が、建材を取り付ける対象となる複数の対象面が含まれる３次元データを記憶する記憶部から前記対象面のデータを取得するステップと、
受付部が、前記対象面に取り付ける建材の基準寸法として指定された寸法に関する情報を受け付けるステップと、
配置情報生成部が、前記３次元データと前記指定された寸法とに基づいて、複数の前記対象面に配置する建材の数量、寸法、及び配置に関する配置情報を所定の配置ルールに従って生成するとともに、複数の前記対象面のうちの第１対象面と第２対象面との出隅部分および／または入隅部分に、前記第１対象面と前記第２対象面とに渡って取り付けられる特定の形状および寸法の特定建材を配置する前記配置情報を生成するステップと、
出力部が、前記生成された前記配置情報を出力するステップと、
を有する建材配置方法。
【請求項１１】
コンピュータに、
建材を取り付ける対象となる複数の対象面が含まれる３次元データを記憶する記憶部から前記対象面のデータを取得するステップと、
前記対象面に取り付ける建材の基準寸法として指定された寸法に関する情報を受け付けるステップと、
前記３次元データと前記指定された寸法とに基づいて、複数の前記対象面に配置する建材の数量、寸法、及び配置に関する配置情報を所定の配置ルールに従って生成するとともに、複数の前記対象面のうちの第１対象面と第２対象面との出隅部分および／または入隅部分に、前記第１対象面と前記第２対象面とに渡って取り付けられる特定の形状および寸法の特定建材を配置する前記配置情報を生成するステップと、
前記生成された前記配置情報を出力するステップと、
を実行させるためのプログラム。
【発明の詳細な説明】
【技術分野】
【０００１】
本発明は、建材配置処理装置、建材配置方法、及びプログラムに関する。
本願は、２０１８年１２月２８日に日本に出願された特願２０１８−２４７９７７号に基づき優先権を主張し、その内容をここに援用する。
【背景技術】
【０００２】
建物のデザイン性を向上させたり強度を確保したりするために、建物の内壁面や外壁面、床面、天井面などには建材が張り付けられている。従来、建物の設計図に基づいて、建材を取り付ける施工面の形状や寸法に応じた建材の寸法や割り付けを決定する技術がある。例えば、特許文献１には、施工イメージ上の住宅の外壁面に対して所定の割り付け方法で建材を割り付け、その割り付け結果を出力する技術が開示されている。
【先行技術文献】
【特許文献】
【０００３】
【特許文献１】特開２００５−２８５０６９号公報
【発明の概要】
【発明が解決しようとする課題】
【０００４】
しかしながら、特許文献１に開示されている技術は、建物の外壁面のうちの一つの面毎に建材を割り付ける技術であり、複数の面に渡る部分に建材を割り付けることができなかった。【０００５】
本発明は上記の点に鑑みてなされたものであり、複数の面に渡る部分に建材を割り付けることができる建材配置処理装置、建材配置方法、及びプログラムを提供することを課題とする。
【課題を解決するための手段】
【０００６】
本発明は上記の課題を解決するためになされたものであり、本発明の一態様は、建材を取り付ける対象となる複数の対象面が含まれる３次元データを記憶する記憶部から前記対象面のデータを取得する第１取得部と、前記対象面に取り付ける建材の基準寸法として指定された寸法に関する情報を受け付ける受付部と、前記３次元データと前記指定された寸法とに基づいて、複数の前記対象面に配置する建材の数量、寸法、及び配置に関する配置情報を所定の配置ルールに従って生成する配置情報生成部と、前記配置情報生成部が生成した前記配置情報を出力する出力部と、を備え、前記配置情報生成部は、複数の前記対象面のうちの第１対象面と第２対象面との出隅部分および／または入隅部分に、前記第１対象面と前記第２対象面とに渡って取り付けられる特定の形状および寸法の特定建材を配置する前記配置情報を生成する建材配置処理装置である。【０００７】
また、本発明の一態様は、建材配置処理装置における建材配置方法であって、第１取得部が、建材を取り付ける対象となる複数の対象面が含まれる３次元データを記憶する記憶部から前記対象面のデータを取得するステップと、受付部が、前記対象面に取り付ける建材の基準寸法として指定された寸法に関する情報を受け付けるステップと、配置情報生成部が、前記３次元データと前記指定された寸法とに基づいて、複数の前記対象面に配置する建材の数量、寸法、及び配置に関する配置情報を所定の配置ルールに従って生成するとともに、複数の前記対象面のうちの第１対象面と第２対象面との出隅部分および／または入隅部分に、前記第１対象面と前記第２対象面とに渡って取り付けられる特定の形状および寸法の特定建材を配置する前記配置情報を生成するステップと、出力部が、前記生成された前記配置情報を出力するステップと、を有する建材配置方法である。【０００８】
また、本発明の一態様は、コンピュータに、建材を取り付ける対象となる複数の対象面が含まれる３次元データを記憶する記憶部から前記対象面のデータを取得するステップと、前記対象面に取り付ける建材の基準寸法として指定された寸法に関する情報を受け付けるステップと、前記３次元データと前記指定された寸法とに基づいて、複数の前記対象面に配置する建材の数量、寸法、及び配置に関する配置情報を所定の配置ルールに従って生成するとともに、複数の前記対象面のうちの第１対象面と第２対象面との出隅部分および／または入隅部分に、前記第１対象面と前記第２対象面とに渡って取り付けられる特定の形状および寸法の特定建材を配置する前記配置情報を生成するステップと、前記生成された前記配置情報を出力するステップと、を実行させるためのプログラムである。
【発明の効果】
【０００９】
本発明によれば、複数の面に渡る部分に建材を割り付けることができる。
【図面の簡単な説明】
【００１０】
【図１】実施形態に係る設計施工支援システムの概要を示す図。
【図２】実施形態における建材パネルの配置についての用語の定義を示す図。
【図３】実施形態に係る建材配置処理装置の構成の一例を示すブロック図。
【図４】建材パネル情報の一例を示す図。
【図５】建材パネルの素材構成の一例を説明する図。
【図６】基準データの一例を示す図。
【図７】対象面に対する見付パネルモジュールの配置の仕方の一例を示す図。
【図８】２Ｄの対象面に対する建材パネルの配置例を示す図。
【図９】３Ｄの対象面に対する建材パネルの配置例を示す図。
【図１０Ａ】ユーザによる入力情報を受け付ける操作画面の一例を示す図。
【図１０Ｂ】操作画面で選択可能な建材パネルの寸法の一例を示す図。
【図１１】実施形態に係る建材配置処理の第１例を示すフローチャート。
【図１２】実施形態に係る建材配置処理の第２例を示すフローチャート。
【図１３】実施形態に係る建材配置処理の第３例を示すフローチャート。
【図１４】実施形態に係る建材配置処理の第４例を示すフローチャート。
【図１５】実施形態に係る建材配置処理の第５例を示すフローチャート。
【発明を実施するための形態】
【００１１】
以下、図面を参照しながら本発明の一実施形態について説明する。
（システムの概要）
まず、本実施形態に係る設計施工支援システムの概要について説明する。
図１は、本実施形態に係る設計施工支援システムの概要を示す図である。図示する設計施工支援システム１は、建築分野において、建物などの構造物の設計に関する３Ｄ（３次元）データを作成し、３Ｄデータの設計情報に加え、名称や仕上げ、材料や部材の仕様・性能、コストなどの建物に関する属性情報を併せもつ情報モデル（ＢＩＭ：Ｂｕｉｌｄｉｎｇ  Ｉｎｆｏｒｍａｔｉｏｎ  Ｍｏｄｅｌｉｎｇ）を構築する。例えば、設計施工支援システム１は、商品の企画から、設計、製造（生産・加工・施工）、流通・販売、維持管理（管理・保守・メンテナンス）、解体（廃棄・リユース・リサイクル）まで一貫したライフサイクルマネジメントを行うデジタルプラットフォーム上で、建材に関する情報を、施主、設計業者、建材メーカ、製造（生産・加工・施工）業者、管理会社などで共有できるように管理及び提供し活用する。これにより、効率的で品質の良い建築づくりに貢献する。
【００１２】
本実施形態では、設計施工支援システム１の構成のうち、建物の外壁や内壁、天井、床などに張り付ける建材パネルの設計から加工に至る部分に関する構成について詳しく説明する。設計施工支援システム１は、３Ｄ−ＣＡＤ（Ｃｏｍｐｕｔｅｒ−Ａｉｄｅｄ  Ｄｅｓｉｇｎ）装置１０と、建材配置処理装置２０と、設計施工支援装置３０とを含んで構成されている。
【００１３】
３Ｄ−ＣＡＤ装置１０は、企画された建物などの構造物の設計に関する３Ｄデータを作成し、作成した３Ｄデータを含む構造物の設計情報を内部または外部の記憶部に記憶させる。また、３Ｄ−ＣＡＤ装置１０は、この３Ｄデータを含む構造物の設計情報を要求に応じて出力する。この構造物の設計情報に基づいて、設計業者は、外観設計や内装設計などの詳細設計を行う。また、製造（生産・加工・施工）業者は、この構造物の設計情報（３Ｄデータなど）や詳細設計情報に基づいて、構造物を構成する各部の建材などの製造（生産・加工・施工）を行う。
【００１４】
建材配置処理装置２０は、３Ｄ−ＣＡＤ装置１０から出力された構造物の設計情報（３Ｄデータなど）から建材パネルを取り付ける対象面を抽出し、当該対象面に配置する建材パネルの割付けを行う。そして、建材配置処理装置２０は、対象面に配置する建材パネルの数量、寸法、及び配置に関する配置情報を生成して出力する。また、建材配置処理装置２０は、生成した配置情報に基づいて、対象面に建材パネルが取り付けられた状態のイメージを生成してもよい。
【００１５】
設計施工支援装置３０は、対象面に配置する建材パネルを加工するための製作図や施工図を生成する。例えば、設計施工支援装置３０は、建材配置処理装置２０から出力された配置情報に基づいて、対象面に配置する建材パネルの製作図を生成して出力する。加工業者は、この製作図に基づいて建材パネルを加工する。
【００１６】
（建材配置処理装置２０の構成）
次に、本実施形態に係る建材配置処理装置２０の構成について、詳しく説明する。
まず、本実施形態における建材パネルの配置に関する用語の定義について説明する。図２は、建材パネルの配置についての用語の定義を示す図である。図２（Ａ）に示すように、建材パネルの真正面から見える面を見付パネルＰと呼ぶ。また、隣り合う２つの見付パネルＰの間を目地と呼ぶ。また、図２（Ｂ）に示すように、見付パネルＰの横方向の寸法（横幅）をＷとし、見付パネルＰの左側の目地の中心から右側の目地の中心までの芯々の寸法（横幅）をＷｍとする。また、見付パネルＰの縦方向の寸法（縦幅）をＬ、見付パネルＰの上側の目地の中心から下側の目地の中心までの芯々の寸法（縦幅）をＬｍとする。
つまり、横方向の寸法Ｗと縦方向の寸法Ｌで囲まれる領域が見付パネルＰである。それに対し、横方向の寸法Ｗｍと縦方向の寸法Ｌｍで囲まれる領域を、見付パネルモジュールＰＭと呼ぶ。例えば、建材配置処理装置２０が建材パネルを配置するときの割付けは、見付パネルモジュールＰＭの寸法Ｗｍ及びＬｍで割り付けられる。
【００１７】
図３は、本実施形態に係る建材配置処理装置２０の構成の一例を示すブロック図である。建材配置処理装置２０は、通信部２１０と、表示部２２０と、入力部２３０と、記憶部２４０と、制御部２５０とを含んで構成されている。
通信部２１０は、例えば、複数のイーサネット（登録商標）ポートや複数のＵＳＢ等のデジタル入出力ポート、ＷＩＦＩ(登録商標）や携帯電話回線などの無線通信ポート等を含んで構成され、制御部２５０による制御に基づいて、通信ネットワークを介して他の装置や端末などと通信を行う。
【００１８】
表示部２２０は、画像やテキスト等の情報を表示するディスプレイであり、例えば、液晶ディスプレイパネル、有機ＥＬ（ＥｌｅｃｔｒｏＬｕｍｉｎｅｓｃｅｎｃｅ）ディスプレイパネルなどを含んで構成される。
【００１９】
入力部２３０は、キーボードやマウス、タッチパッドなどに対するユーザの操作が入力される。なお、入力部２３０は、タッチパネルとして表示部２２０と一体に構成されてもよい。また、入力部２３０は、マイクロホンなどに入力される音声により各種の指示が入力されてもよい。
【００２０】
記憶部２４０は、例えば、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ-Ｏｎｌｙ  Ｍｅｍｏｒｙ）、ＲＯＭ（Ｒｅａｄ-Ｏｎｌｙ  Ｍｅｍｏｒｙ）、ＲＡＭ（Ｒａｎｄｏｍ  Ａｃｃｅｓｓ  Ｍｅｍｏｒｙ）などを含み、各種情報や画像、プログラム等を記憶する。なお、記憶部２４０は、建材配置処理装置２０に内蔵されるものに限らず、ＵＳＢ等のデジタル入出力ポート等によって接続された外付け型の記憶装置でもよい。
【００２１】
例えば、記憶部２４０は、対象面データ記憶部２４１と、建材情報記憶部２４２と、基準データ記憶部２４３と、配置ルール記憶部２４４と、配置情報記憶部２４５とを含んで構成されている。
【００２２】
対象面データ記憶部２４１には、３Ｄ−ＣＡＤ装置１０から取得した構造物の設計情報（３Ｄデータなど）、３Ｄデータに含まれる対象面データなどが記憶されている。
【００２３】
建材情報記憶部２４２には、対象面に取り付ける建材パネルに関する建材パネル情報が記憶されている。図４は、建材パネル情報の一例を示す図である。図示する建材パネル情報には、製品名（商品名）、厚み、見付パネルＰの最大幅（Ｗ、Ｌの最大寸法）、単位面積あたりの重量、色（色の種類）、仕上げ（仕上げの種類）、コストなどが関連付けられている。この建材パネル情報に登録されている製品（商品）が、対象面に取り付ける建材パネルの選択肢となる。
【００２４】
図５は、建材パネルの素材構成の一例を説明する図である。図示する建材パネルは、芯材ＰＣの両面に対して面材ＰＳを張り付けた構成となっている。芯材ＰＣとしては、ポリエチレン、発泡ポリエチレンなどの樹脂、あるいは、フィラーを含有する樹脂からなる不燃性材料などが用いられる。面材ＰＳとしては、アルミニウム、ステンレス、チタン、ガルバリウム鋼板（登録商標）、スチールなどが用いられる。なお、面材ＰＳの表面の一方または両方には、表面処理が行われている。表面処理には、ポリエステル樹脂塗装、フッ素樹脂塗装、抗菌・防カビ塗装、導電塗装、プライマー処理、鏡面仕上げなどがある。
【００２５】
基準データ記憶部２４３には、国ごとに法令などで規定されている防火性能や強度の基準についての基準データが記憶されている。図６は、基準データの一例を示す図である。
図示する基準データには、国ごとに定められている防火基材試験、防火施工システム試験、強度施工システム試験などの基準が関連付けられている。これらの基準と、基準に適合する建材パネルの種類とが関連付けされている。これにより、建物を建築する国を選択することで、その国の基準に適合する建材パネルの種類を選択することや選択肢とすることが可能となる。
【００２６】
なお、基準データ記憶部２４３には、単に防火性能の程度と、防火性能の程度に適合する建材パネルの種類とが関連付けされてもよい。例えば、日本を例にすると防火性能の程度として、難燃、準不燃、不燃などに区分される。この難燃、準不燃、不燃を選択肢とすることで、選択した防火性能の程度に適合する建材パネルの種類を選択することや選択肢とすることが可能となる。また、国ごとの基準データに限られるものでなく、県、州、市町村、特定地域などに規定されている基準についての基準データであってもよい。
【００２７】
配置ルール記憶部２４４は、対象面に対して取り付ける建材パネルを配置するための配置ルールの情報が記憶されている。建材配置処理装置２０が建材パネルを自動で配置する際には、見付パネルＰの寸法に目地の寸法を加えた見付パネルモジュールＰＭを配置する。以下、建材パネルの配置ルールの例について説明する。
【００２８】
図７は、対象面に対する見付パネルモジュールＰＭの配置の仕方の一例を示す図である。図示する対象面ＴＳは、建材パネルを取り付ける対象面を示している。ここで、対象面ＴＳの水平線の中心を垂直に貫く線を、対象面基準垂直中心線ａ１とする。対象面ＴＳの垂直線の中心を水平に貫く線を、対象面基準水平中心線ｂ１とする。対象面ＴＳの最上部水平線を、対象面基準最上部線ｃ１とする。対象面ＴＳの最下部水平線を、対象面基準最下部線ｄ１とする。対象面ＴＳの左端部を垂直に貫く線を、対象面基準左端部線ｅ１とする。また、図示する見付パネルモジュールＰＭは、対象面ＴＳに対する見付パネルモジュールＰＭの配置を決定する際に最初に配置する見付パネルモジュールの基準位置を示している。ここで、見付パネルモジュールＰＭの水平線の中心を垂直に貫く線を、見付パネルモジュール基準垂直中心線ａ２とする。見付パネルモジュールＰＭの垂直線の中心を水平に貫く線を、見付パネルモジュール基準水平中心線ｂ２とする。見付パネルモジュールＰＭの最上部水平線を、見付パネルモジュール基準最上部線ｃ２とする。見付パネルモジュールＰＭの最下部水平線を、見付パネルモジュール基準最下部線ｄ２とする。見付パネルモジュールＰＭの左端部を垂直に貫く線を、見付パネルモジュール基準左端部線ｅ２とする。
【００２９】
例えば、対象面ＴＳの基準位置に見付パネルモジュールＰＭを配置する際の配置の仕方として、図７（Ａ）〜（Ｉ）に示す９種類の配置ルールが定義されている。
（Ａ）対象面基準垂直中心線ａ１と見付パネルモジュール基準垂直中心線ａ２とが重なり、且つ対象面基準水平中心線ｂ１と見付パネルモジュール基準水平中心線ｂ２とが重なるように基準位置に見付パネルモジュールＰＭを配置してから、上下左右方向に見付パネルモジュールＰＭ連続して配置。
（Ｂ）対象面基準垂直中心線ａ１と見付パネルモジュール基準左端部線ｅ２とが重なり、且つ対象面基準水平中心線ｂ１と見付パネルモジュール基準水平中心線ｂ２とが重なるように基準位置に見付パネルモジュールＰＭを配置してから、上下左右方向に見付パネルモジュールＰＭ連続して配置。
（Ｃ）対象面基準垂直中心線ａ１と見付パネルモジュール基準垂直中心線ａ２とが重なり、且つ対象面基準水平中心線ｂ１と見付パネルモジュール基準最下部線ｄ２とが重なるように基準位置に見付パネルモジュールＰＭを配置してから、上下左右方向に見付パネルモジュールＰＭ連続して配置。
（Ｄ）対象面基準垂直中心線ａ１と見付パネルモジュール基準左端部線ｅ２とが重なり、且つ対象面基準水平中心線ｂ１と見付パネルモジュール基準水平中心線ｂ２とが重なるように基準位置に見付パネルモジュールＰＭを配置してから、上下左右方向に見付パネルモジュールＰＭ連続して配置。
（Ｅ）対象面基準垂直中心線ａ１と見付パネルモジュール基準垂直中心線ａ２とが重なり、且つ対象面基準最上部線ｃ１と見付パネルモジュール基準最上部線ｃ２とが重なるように基準位置に見付パネルモジュールＰＭを配置してから、下左右方向に見付パネルモジュールＰＭ連続して配置。
（Ｆ）対象面基準垂直中心線ａ１と見付パネルモジュール基準垂直中心線ａ２とが重なり、且つ対象面基準最下部線ｄ１と見付パネルモジュール基準最下部線ｄ２とが重なるように基準位置に見付パネルモジュールＰＭを配置してから、上左右方向に見付パネルモジュールＰＭ連続して配置。
（Ｇ）対象面基準左端部線ｅ１と見付パネルモジュール基準左端部線ｅ２とが重なり、且つ対象面基準水平中心線ｂ１と見付パネルモジュール基準水平中心線ｂ２とが重なるように基準位置に見付パネルモジュールＰＭを配置してから、上下右方向に見付パネルモジュールＰＭ連続して配置。
（Ｈ）対象面基準最上部線ｃ１と見付パネルモジュール基準最上部線ｃ２とが重なり、且つ対象面基準左端部線ｅ１と見付パネルモジュール基準左端部線ｅ２とが重なるように基準位置に見付パネルモジュールＰＭを配置してから、下右方向に見付パネルモジュールＰＭ連続して配置。
（Ｉ）対象面基準最下部線ｄ１と見付パネルモジュール基準最下部線ｄ２とが重なり、且つ対象面基準左端部線ｅ１と見付パネルモジュール基準左端部線ｅ２とが重なるように基準位置に見付パネルモジュールＰＭを配置してから、上右方向に見付パネルモジュールＰＭ連続して配置。
【００３０】
建材配置処理装置２０が複数の対象面に対して順に自動で建材パネルの配置情報を生成する場合の配置ルールとして、最初に配置する対象面を、建物の主入り口のある面、一番大きな対象面、顧客の指定する対象面等としてもよく、その後、他の複数の対象面についても同様の配置ルールで、同様に見付パネルモジュールＰＭを配置するようにしてもよい。また、最初に配置する対象面からスタートして時計回りもしくは反時計回りで複数の対象面に連続して見付パネルモジュールＰＭを配置していく配置ルールとしてもよい。
【００３１】
図８は、２Ｄの対象面に対する建材パネルの配置例を示す図である。この図では、対象面が外壁面である例を示している。また、外壁面中心線は、図７の対象面基準垂直中心線ａ１に相当する。図８（Ａ）は、図７（Ａ）に定義されている配置ルールでグリッド状に見付パネルモジュールＰＭが配置された場合の配置例を示している。また、図８（Ｂ）は、図８（Ａ）の配置例の詳細を示している。ここでは、基準となる見付パネルモジュールＰＭ（基準見付パネルモジュール）の寸法が、Ｗｍ＝１２２０ｍｍ、Ｌｍ＝３０００ｍｍである例を示している。この場合、見付パネルモジュールＰＭの寸法は、基準となる見付パネルＰ（基準見付パネル）の寸法（Ｗ＝１２０５ｍｍ、Ｌ＝２９８５ｍｍ）に目地の幅（１５ｍｍ）を加えた寸法である。また、図８（Ｃ）は、図７（Ｄ）に定義されている配置ルールでグリッド状に見付パネルモジュールＰＭが配置された場合の配置例を示している。
【００３２】
また、図８（Ａ）及び（Ｃ）の配置例に示すように、それぞれの対象面（外壁面）の上下左右端部に配置される見付パネルモジュールＰＭの一部もしくは全ては役物（即ち、基準見付パネルモジュールとは異なる寸法）となる場合がある。図示する例では、左右端部に配置される見付パネルモジュールＰＭ（「Ｂ」または「Ｂ´」の見付パネルモジュール）は、中央に配置される基準となる見付パネルモジュールＰＭ（「Ａ」または「Ａ´」の見付パネルモジュール）より短い寸法となる。これは、対象面の寸法が基準となる見付パネルモジュールＰＭの寸法の整数倍にならない場合に生じる。整数倍したときの端数分の寸法が端部に配置される見付パネルモジュールＰＭの寸法となる。なお、整数倍したときの端数が所定の長さより短い寸法となる場合（例えば、一部品として短すぎる場合）には、隣の見付パネルモジュールＰＭを端数の分延長した寸法としてもよい。つまり上下左右端部に配置される見付パネルモジュールＰＭは、中央に配置される基準となる見付パネルモジュールＰＭより短い寸法としてもよいし、長い寸法としてもよい。
【００３３】
なお、上述したようによって、ビルディングの場合、最下部（１階部分）と最上部（最上階部分）は、中層階に対して天井の高さ異なることがあり、階によって対象面の大きさ異なることがある。そのため、例えば、中層階の対象面に対して役物が生じないような寸法としても、最下部（１階部分）と最上部（最上階部分）では役物が必要となることがある。また、最下部（１階部分）の対象面に対して役物が生じないような寸法とした場合には、中層階と最上部（最上階部分）では役物が必要となることがある。同様に、最上部（最上階部分）の対象面に対して役物が生じないような寸法とした場合には、中層階と最下部（１階部分）では役物が必要となることがある。
【００３４】
図９は、３Ｄの対象面に対する建材パネルの配置例を示す図である。建材配置処理装置２０は、複数の対象面に渡る部分に建材パネルを割り付けることができる。図示する例は、隣接する対象面ＴＳ１と対象面ＴＳ２とに対して見付パネルモジュールＰＭが配置された場合の配置例を示している。図示する例では、基準となる「Ａ」の部分の見付パネルモジュールＰＭを符号ＰＭａで表している。ここで、対象面ＴＳ１の右端部の「Ｂ」の部分の寸法（面積）と対象面ＴＳ２の左端部の「Ｃ」の部分の寸法（面積）とは、基準となる「Ａ」の部分の寸法（面積）とは異なっている。例えば、「Ａ」の部分の幅寸法より「Ｂ」の部分の幅寸法及び「Ｃ」の部分の幅寸法の方が短い。なお、「Ｂ」の部分の寸法と「Ｃ」の部分の寸法とは同一であっても異なってもよい。また図示では、対象面ＴＳ１の基準となる見付パネルモジュールＰＭａと対象面ＴＳ２の基準となる見付パネルモジュールＰＭａとの寸法が同一である例を示したが、異なってもよい。
【００３５】
例えば、対象面ＴＳ１の右端部と対象面ＴＳ２の左端部とが直角に出会った出隅部分に、対象面ＴＳ１の右端部の「Ｂ」の部分と対象面ＴＳ２の左端部の「Ｃ」の部分とのそれぞれに見付パネルモジュール（２つの見付パネルモジュール）を配置するのではなく、対象面ＴＳ１の右端部の「Ｂ」の部分と対象面ＴＳ２の左端部の「Ｃ」の部分とが一体化された一部品としての見付パネルモジュールＰＭｂを配置することが配置ルールとして定義されている。即ち、２つの対象面に渡って1枚（一部品）の建材パネルを貼り付けることが、配置ルールとして定義されている。なお、出隅部分の角度は、直角に限らず、任意の角度とすることができる。つまり、出隅部分には、出隅部分の角度に応じて折り曲げ加工がされた建材パネルを取り付けることが可能である。
【００３６】
なお、図９に示す例では、対象面ＴＳ１と対象面ＴＳ１の右側の対象面ＴＳ２との２面に対して建材パネルを配置する例を示したが、この２面に限られるものではなく、他の面に対しても同様に建材パネルを配置してもよい。例えば、対象面ＴＳ１と対象面ＴＳ１の上側の面との２面、対象面ＴＳ１と対象面ＴＳ１の下側の面との２面、対象面ＴＳ１と対象面ＴＳ１の左側の面との２面に対して、それぞれの出隅部分を含めて建材パネルを配置してもよい。また、対象面ＴＳ１と対象面ＴＳ２との２面に他の面を加えた３面以上に対して建材パネルを配置してもよいし、対象面ＴＳ１と対象面ＴＳ２との２面以外の２面または３面以上に対して、それぞれの出隅部分および／または入隅部分を含めて建材パネルを配置してもよい。この場合、３面以上の対象面のうちの２面に渡る部分（出隅部分および／または入隅部分）に一体化された一部品の建材パネルを割り付けてもよいし、３面以上の対象面に渡る部分（出隅部分および／または入隅部分）に一体化された一部品の建材パネルを割り付けてもよい。また、図９に示す例では、出隅部分に複数の対象面に渡る一体化した見付パネルモジュールＰＭｂを配置する例を示したが、入隅部分（例えば、図示する出隅部分が外壁面とした場合、その内側となる内壁面の入隅部分）に複数の対象面に渡る一体化した見付パネルモジュールを配置してもよい。また、出隅部分または入隅部分の一部または全部について、複数の対象面に渡る一体化した見付パネルモジュールを配置しなくてもよく、それぞれの対象面ごとに見付パネルモジュールを配置してもよい。また、配置ルールとしては、建物などの構造物の形状を３Ｄで捉えることにより、役物となる見付パネルモジュールを最小限に抑えるべく最適化してもよい。
【００３７】
配置情報記憶部２４５には、建材配置処理装置２０が生成した、対象面に配置する建材パネルの配置情報が記憶される。例えば、配置情報には、構造物を特定する情報、対象面を特定する情報、配置パターン、配置の向き、見付パネルモジュールＰＭの寸法、目地の寸法などの配置に関する情報と、それに加えて属性情報とが関連付けられて記憶される。
属性情報には、例えば、建材の種類（製品名など）、色、仕上げ、重量などが含まれる。
【００３８】
図３に戻り、制御部２５０は、ＣＰＵ（Ｃｅｎｔｒａｌ  Ｐｒｏｃｅｓｓｉｎｇ  Ｕｎｉｔ）などを含んで構成され、記憶部２４０に記憶されているプログラムを実行することにより各種の機能を実現する。例えば、制御部２５０は、実現する機能の構成として、構造物設計データ取得部２５１と、対象面データ取得部２５２と、受付部２５３と、建材選択部２５４と、重量情報取得部２５５と、配置情報生成部２５６と、重量算出部２５７と、イメージ生成部２５８と、出力部２５９とを含んで構成されている。
【００３９】
構造物設計データ取得部２５１は、３Ｄ−ＣＡＤ装置１０で設計された建物などの構造物の設計情報を、通信部２１０を介して３Ｄ−ＣＡＤ装置１０から取得する。３Ｄ−ＣＡＤ装置１０の内部または外部の記憶部には、建材パネルを取り付ける対象となる複数の対象面が含まれる構造物の設計に関する３Ｄデータを含む設計情報が記憶されている。例えば、構造物設計データ取得部２５１は、建材パネルを取り付ける対象となる対象面のデータが少なくとも含まれる設計情報を３Ｄ−ＣＡＤ装置１０から取得する。構造物設計データ取得部２５１は、取得した構造物の設計情報を対象面データ記憶部２４１に記憶させる。
【００４０】
対象面データ取得部２５２は、建材パネルを取り付ける対象となる対象面のデータ（２Ｄデータまたは３Ｄデータ）を対象面データ記憶部２４１から取得する。
【００４１】
受付部２５３は、ユーザにより入力部２３０を介して入力される各種の入力情報を受け付ける。例えば、受付部２５３は、入力部２３０に対するユーザの操作に基づいて、建材パネルを取り付ける対象となる対象面を特定する情報を受け付ける。また、受付部２５３は、入力部２３０に対するユーザの操作に基づいて、対象面に取り付ける建材パネルの基準寸法として指定された寸法に関する情報を受け付ける。基準寸法とは、例えば図８を参照して説明した基準となる見付パネルモジュールＰＭ（基準見付パネルモジュール）の寸法である。なお、受付部２５３は、入力部２３０に対するユーザの操作に基づいて、対象面に取り付ける建材パネルの基準寸法以外に、建材パネルの色、仕上げ、または建材パネルを対象面に取り付ける際の向きもしくは配置パターンに関する情報などをさらに受け付けてもよい。
【００４２】
図１０Ａは、受付部２５３がユーザによる入力情報を受け付ける操作画面の一例を示す図である。この図１０Ａは、対象面に建材パネルを配置する際にユーザに条件を入力させるための操作画面の一例を示している。
「建材選択」は、建材パネルの種類を選択する選択項目であり、図４に示す建材情報記憶部２４２に記憶されている建材パネル情報の製品名（商品名）などが選択肢として表示される。
「パネルの配置パターン」は、建材パネルを配置する際の並べ方の種類を選択する選択項目であり、例えば、グリッド状の配置（Ｇｒｉｄｓ）と、ブロック状（互い違い）の配置（Ｂｒｉｃｋ）の中から選択可能である。
「パネルの向き」は、建材パネルを配置する向きを選択する選択項目であり、例えば、横方向（水平方向）が長尺となる横基調で配置（Ｈｏｒｉｚｎｔａｌ）と、縦方向（垂直方向）が長尺となる縦基調で配置（Ｖｅｒｔｉｃａｌ）と、横方向と縦方向の区別が無い正方形の建材パネルを配置（Ｓｑｕａｒｅ）の中から選択可能である。
「パネルの寸法」は、基準となる見付パネルモジュールＰＭ（基準見付パネルモジュール）の寸法を選択する選択項目であり、例えば、大、中、小、指定の中から選択可能である。図１０Ｂは、建材パネル（見付パネルモジュールＰＭ）の寸法の一例を示す図である。この図１０Ｂに示すように、大、中、小は、予め設定されている寸法である。また、指定は、ユーザが任意の寸法を入力することが可能であるが、最大寸法または最小寸法が予め設定されていてもよい。
「目地の寸法」は、隣り合う２つの見付パネルＰの間の目地の寸法を指定する項目であり、例えば、ユーザが任意の寸法を入力することが可能である。なお、予め設定されている複数の寸法の中から選択可能としてもよい。
「色の選択」は、建材パネルの色を選択する選択項目であり、例えば、「建材選択」で選択された建材パネルの種類で選択可能な色が選択肢として表示される。
【００４３】
なお、図１０に示す「建材選択」、「パネルの配置パターン」、「パネルの向き」、「パネルの寸法」、「目地の寸法」、及び「色の選択」のうち少なくとも一つの項目についてユーザが選択可能であってもよく、選択可能な項目以外については予め設定されていてもよい。例えば、少なくとも「パネルの寸法」についてユーザが選択可能であり、他の選択項目は予め設定されていてもよい。また、上記以外の項目が選択可能であってもよい。
【００４４】
建材選択部２５４は、対象面に取り付ける建材パネルの種類を選択する。例えば、建材選択部２５４は、ユーザの操作に基づいて選択された建材パネルの種類（例えば、図１０に示す「建材選択」で選択された建材パネルの種類）を、対象面に取り付ける建材パネルの種類として選択する。なお、建材選択部２５４は、複数種類の建材パネルの中から国ごとに定められた基準に基づく建材パネルを選択肢としてユーザに提示してもよい。国ごとに定められた基準とは、例えば、国ごとに定められている防火性能や強度の基準である（図６に示す基準データ参照）。例えば、建材選択部２５４は、複数種類の建材パネルの中から国ごとに定められた基準に基づく建材パネルの選択肢を、図１０に示す「建材選択」の選択肢として表示させてもよい。また、建材選択部２５４は、複数種類の建材パネルの中から、ユーザにより選択された国に定められた基準に適合する建材パネルの種類を選択してもよい。
【００４５】
重量情報取得部２５５は、建材情報記憶部２４２の建材パネル情報を参照して、建材パネルの単位面積あたりの重量に関する重量情報を取得する。建材パネルの重量は、防火性能や強度などによって異なる。
【００４６】
重量算出部２５７は、配置情報生成部２５６が生成した配置情報と重量情報取得部２５５が取得した重量情報とに基づいて、建材選択部２５４により選択された建材パネルを対象面に取り付ける場合の建材パネルの重量を算出する。例えば、重量算出部２５７は、対象面に取り付ける建材パネルの１枚ごとの重量、または対象面ごとの合計重量を算出する。また、３Ｄの複数の対象面に渡って建材パネルを取り付ける場合があるため、重量算出部２５７は、複数の対象面に取り付ける建材パネルの合計重量を算出してもよい。なお、重量算出部２５７は、建物のすべての対象面に取り付ける建材パネルの総重量を算出してもよい。
【００４７】
配置情報生成部２５６は、構造物の設計情報（３Ｄデータなど）から取得した対象面のデータ（２Ｄデータまたは３Ｄデータ）と、対象面に取り付ける建材パネルの情報とに基づいて、対象面に配置する建材の数量、寸法、及び配置に関する配置情報を所定の配置ルールに従って生成する。例えば、配置情報生成部２５６は、建材選択部２５４により選択された種類の建材パネルを対象面に配置する建材パネルとして、所定の配置ルールに従って配置情報を生成する。所定の配置ルールとは、配置ルール記憶部２４４に記憶されている配置ルールであり、複数のルールが存在する場合は、それらのうちの少なくとも一つを意味する。例えば、所定の配置ルールは、図７（Ａ）〜（Ｉ）、図８、及び図９を参照して前述した配置ルールの中から選択されたものである。例えば、配置情報生成部２５６は、少なくとも指定された建材パネルの寸法（基準となる見付パネルモジュールＰＭ（基準見付パネルモジュール）の寸法）に基づいて、対象面に配置する建材パネルの数量、寸法、及び配置に関する配置情報を所定の配置ルール（例えば、ユーザにより選択された配置ルール）に従って生成する。なお、デザイナーにより、予めパネル配置が決められている場合はこの限りではない。
【００４８】
また、配置情報生成部２５６は、複数の対象面のうちの第１対象面（例えば、図９の対象面ＴＳ１）と第２対象面（例えば、図９の対象面ＴＳ２）との出隅部分および／または入隅部分に、第１対象面と第２対象面とに渡って取り付けられる特定の形状および寸法の特定建材（役物となる建材パネル）を配置する配置情報を生成してもよい。このときの所定の配置ルールは、例えば図９を参照して前述した配置ルールが選択された場合であり、第１対象面の中央に配置される基準となる見付パネルモジュール（「Ａ」の部分）よりも幅寸法が短い見付パネルモジュール（「Ｂ」の部分）が当該第１対象面の端部に配置されると仮定し、第１対象面と隣接する第２対象面の中央に配置される基準となる見付パネルモジュール（「Ａ」の部分）よりも幅寸法が短い見付パネルモジュール（「Ｃ」の部分）が第２対象面の端部に配置されると仮定した場合に、第１対象面と第２対象面が出会う部分に配置される２つの見付パネルモジュール（「Ｂ」の部分と「Ｃ」の部分）が占める部分に、折り曲げ加工がされた一部品の見付パネルモジュールが配置されるものである、例えば、配置情報生成部２５６は、受付部２５３が受け付けた基準となる見付パネルモジュールＰＭ（基準見付パネルモジュール）の寸法と、第１対象面の寸法と第２対象面の寸法とに基づいて上記の特定建材の寸法を決定するとともに、第１対象面と第２対象面との出隅部分および／または入隅部分の角度に基づいて上記特定建材の形状を決定する。なお、第１対象面は、前述の最初に配置する対象面、建物の主入り口のある面、一番大きな対象面、あるいは顧客の指定する対象面としてもよい。
【００４９】
なお、配置情報生成部２５６は、少なくとも指定された建材パネルの寸法（基準となる見付パネルモジュールＰＭ（基準見付パネルモジュール）の寸法）に加えて、建材パネルの色、仕上げ、または対象面に取り付ける際の向きもしくは配置パターンに関する情報基づいて、対象面に配置する建材パネルの数量、寸法、及び配置（配置パターン、向きなど）に関する配置情報を生成してもよい。
【００５０】
また、配置情報生成部２５６は、生成した配置情報を配置情報記憶部２４５に記憶させる。このとき、配置情報生成部２５６は、配置情報に関連付けて属性情報も記憶させてもよい。属性情報とは、例えば、重量算出部２５７が算出した重量に関する情報、対象面に取り付ける建材パネルの色、仕上げ、またはコストに関する情報などである。
【００５１】
イメージ生成部２５８は、配置情報生成部２５６により生成された配置情報に基づいて、対象面に建材パネルが取り付けられた状態のイメージを生成する。例えば、イメージ生成部２５８は、配置情報生成部２５６により生成された配置情報に基づいて対象面に実際に建材パネルが取り付けられた状態のイメージ図またはイメージ画像を表示部２２０に表示させる。イメージ図またはイメージ画像には、対象面に実際に建材パネルが取り付けられた状態の構造物（建物など）の様子をビジュアル化した図または画像が含まれる。建材パネルの色や仕上げも、選択された色や仕上げが再現されてもよい。
【００５２】
出力部２５９は、配置情報生成部２５６が生成した配置情報を出力する。出力方法としては、表示部２２０に表示させてもよいし、ファイルに格納してＨＤＤに保存してもよいし、通信部２１０を介して送信してもよい。また、出力部２５９は、配置情報生成部２５６が生成した配置情報と、重量算出部２５７が算出した重量に関する情報が少なくとも含まれる属性情報とを関連付けて出力してもよい。また、属性情報には、対象面に取り付ける建材パネルの種類（製品名または商品名）、建材パネルの色、仕上げ、またはコストに関する情報などが含まれてもよい。また、属性情報には、立地条件など建築される場所に関する情報、施主、設計業者、また、属性情報には、建材パネルを取り付ける対象面のデータ、当該対象面を有する構造物の３Ｄデータ、或いは各データを特定可能な識別情報などが含まれてもよい。また、出力部２５９は、イメージ生成部２５８が生成したイメージを配置情報に関連付けて出力してもよい。
【００５３】
（建材配置処理の動作）
次に、建材配置処理装置２０が対象面に対して建材パネルの配置情報を生成する建材配置処理の動作について説明する。
（建材配置処理の第１例）
図１１は、本実施形態に係る建材配置処理の第１例を示すフローチャートである。この図に示す建材配置処理の例は、２Ｄの対象面に対して配置する建材パネルの寸法（見付パネルモジュールＰＭ（基準見付パネルモジュール）の寸法）を選択することにより配置情報を生成する例である。
【００５４】
（ステップＳ１１０）対象面データ取得部２５２は、建材パネルを取り付ける対象となる対象面の２Ｄデータを対象面データ記憶部２４１から取得する。そして、ステップＳ１２０の処理に進む。
（ステップＳ１２０）受付部２５３は、入力部２３０に対するユーザの操作に基づいて、選択された建材パネルの基準寸法を受け付ける。基準寸法とは、例えば図８を参照して説明した基準となる見付パネルモジュールＰＭ（基準見付パネルモジュール）の寸法である。ユーザは、予め設定された寸法の選択肢の中から選択してもよいし、任意の寸法を指定してもよい。そして、ステップＳ１５０の処理に進む。
【００５５】
（ステップＳ１５０）配置情報生成部２５６は、対象面の２Ｄデータと、ユーザにより選択された基準寸法（例えば、図１０に示す「パネルの寸法」で選択された寸法）とに基づいて、対象面に配置する建材の数量、寸法、及び配置に関する配置情報を配置ルールに従って生成する（図７、図８参照）。そして、ステップＳ１６０の処理に進む。
（ステップＳ１６０）出力部２５９は、配置情報生成部２５６が生成した配置情報を出力する。
【００５６】
なお、複数の対象面に対して建材パネルの配置情報を生成する場合には、対象面ごとに上記ステップＳ１１０、Ｓ１２０、Ｓ１５０、Ｓ１６０の処理を繰り返す。なお、ステップＳ１６０の処理は、対象面ごとに行われてもよいし、全ての対象面に対してステップＳ１１０、Ｓ１２０、Ｓ１５０の処理を行なった後に、全ての対象面に対する配置情報を出力する処理として行われてもよい。
【００５７】
（建材配置処理の第２例）
図１２は、本実施形態に係る建材配置処理の第２例を示すフローチャートである。この図に示す建材配置処理の例は、３Ｄの対象面に対して配置する建材パネルの寸法（見付パネルモジュールＰＭ（基準見付パネルモジュール）の寸法）を選択することにより配置情報を生成する例である。
【００５８】
（ステップＳ１１０）対象面データ取得部２５２は、建材パネルを取り付ける対象となる対象面の３Ｄデータを対象面データ記憶部２４１から取得する。そして、ステップＳ１２０の処理に進む。
（ステップＳ１２０）受付部２５３は、入力部２３０に対するユーザの操作に基づいて、選択された建材パネルの基準寸法を受け付ける。基準寸法とは、例えば図８を参照して説明した基準となる見付パネルモジュールＰＭ（基準見付パネルモジュール）の寸法である。ユーザは、予め設定された寸法の選択肢の中から選択してもよいし、任意の寸法を指定してもよい。そして、ステップＳ１４０の処理に進む。
【００５９】
（ステップＳ１４０）配置情報生成部２５６は、出隅部分および／または入隅部分の角度を取得し、特定建材（役物）の形状（役物の折り曲げ角度など）を決定する。そして、ステップＳ１５０の処理に進む。
（ステップＳ１５０）配置情報生成部２５６は、対象面の３Ｄデータと、ユーザにより選択された基準寸法（例えば、図１０に示す「パネルの寸法」で選択された寸法）と、出隅部分／入隅部分の角度とに基づいて、対象面に配置する建材の数量、寸法、及び配置に関する配置情報を配置ルールに従って生成する（図７、図９参照）。そして、ステップＳ１６０の処理に進む。
（ステップＳ１６０）出力部２５９は、配置情報生成部２５６が生成した配置情報を出力する。
【００６０】
（建材配置処理の第３例）
図１３は、本実施形態に係る建材配置処理の第３例を示すフローチャートである。この図に示す建材配置処理の例は、２Ｄの対象面に対して配置する建材パネルの種類と寸法（見付パネルモジュールＰＭ（基準見付パネルモジュール）の寸法）を選択することにより配置情報を生成するとともに、配置する建材パネルの重量情報を属性情報として付加する例である。
【００６１】
（ステップＳ１１０）対象面データ取得部２５２は、建材パネルを取り付ける対象となる対象面の２Ｄデータを対象面データ記憶部２４１から取得する。そして、ステップＳ１２０の処理に進む。
（ステップＳ１２０）受付部２５３は、入力部２３０に対するユーザの操作に基づいて、選択された建材パネルの種類と基準寸法を受け付ける。基準寸法とは、例えば図８を参照して説明した基準となる見付パネルモジュールＰＭ（基準見付パネルモジュール）の寸法である。ユーザは、予め設定された寸法の選択肢の中から選択してもよいし、任意の寸法を指定してもよい。そして、ステップＳ１２６の処理に進む。
【００６２】
（ステップＳ１２６）建材選択部２５４は、ユーザの操作に基づいて選択された建材パネルの種類（例えば、図１０に示す「建材選択」で選択された建材パネルの種類）を、対象面に取り付ける建材パネルの種類として選択する。そして、ステップＳ１３０の処理に進む。
（ステップＳ１３０）重量情報取得部２５５は、建材情報記憶部２４２の建材パネル情報を参照して、建材選択部２５４により選択された建材パネルの単位面積あたりの重量に関する重量情報を取得する。そして、ステップＳ１５０の処理に進む。
【００６３】
（ステップＳ１５０）配置情報生成部２５６は、対象面の２Ｄデータと、ユーザにより選択された基準寸法とに基づいて、対象面に配置する建材の数量、寸法、及び配置に関する配置情報を配置ルールに従って生成する（図７、図８参照）。そして、ステップＳ１５２の処理に進む。
（ステップＳ１５２）重量算出部２５７は、配置情報生成部２５６が生成した配置情報と重量情報取得部２５５が取得した重量情報とに基づいて、建材選択部２５４により選択された建材パネルを対象面に取り付ける場合の建材パネルの重量を算出する。そして、ステップＳ１６０の処理に進む。
（ステップＳ１６０）出力部２５９は、配置情報生成部２５６が生成した配置情報と重量算出部２５７が算出した重量情報を含む属性情報とを関連付けて出力する。
【００６４】
なお、図１３に示す建材配置処理の例は、２Ｄの対象面に対して建材パネルを配置する例であるが、３Ｄの対象面に対して建材パネルを配置することにも適用することができる。例えば、図１３に示す建材配置処理において、ステップＳ１１０の処理で対象面の３Ｄデータを取得し、図１２のステップＳ１４０の処理を追加して出隅部分および／または入隅部分の角度を取得し、ステップＳ１５０の処理において対象面の３Ｄデータとユーザにより選択された基準寸法とに基づいて、対象面に配置する建材の数量、寸法、及び配置に関する配置情報を配置ルールに従って生成してもよい。
【００６５】
（建材配置処理の第４例）
図１４は、本実施形態に係る建材配置処理の第４例を示すフローチャートである。この図に示す建材配置処理の例は、２Ｄの対象面に対して配置する建材パネルの寸法（見付パネルモジュールＰＭ（基準見付パネルモジュール）の寸法）と防火性能とを選択することにより配置情報を生成するとともに、配置する建材パネルの重量情報を属性情報として付加する例である。
【００６６】
（ステップＳ１１０）対象面データ取得部２５２は、建材パネルを取り付ける対象となる対象面の２Ｄデータを対象面データ記憶部２４１から取得する。そして、ステップＳ１２０の処理に進む。
（ステップＳ１２０）受付部２５３は、入力部２３０に対するユーザの操作に基づいて、選択された建材パネルの基準寸法を受け付ける。基準寸法とは、例えば図８を参照して説明した基準となる見付パネルモジュールＰＭ（基準見付パネルモジュール）の寸法である。ユーザは、予め設定された寸法の選択肢の中から選択してもよいし、任意の寸法を指定してもよい。そして、ステップＳ１２４の処理に進む。
【００６７】
（ステップＳ１２４）受付部２５３は、入力部２３０に対するユーザの操作に基づいて、対象面を有する建物の防火性能（難燃、準不燃、不燃など）の選択を受け付ける。そして、ステップＳ１２６の処理に進む。
（ステップＳ１２６）建材選択部２５４は、ユーザの操作に基づいて選択された防火性能に適合する建材パネルの種類を選択する。または、建材選択部２５４は、ユーザの操作に基づいて選択された防火性能に適合する建材パネルの種類の選択肢を絞り込み、その選択肢の中からユーザにより選択された建材パネルの種類を選択してもよい。そして、ステップＳ１３０の処理に進む。
（ステップＳ１３０）重量情報取得部２５５は、建材情報記憶部２４２の建材パネル情報を参照して、建材選択部２５４により選択された建材パネルの単位面積あたりの重量に関する重量情報を取得する。そして、ステップＳ１５０の処理に進む。
【００６８】
（ステップＳ１５０）配置情報生成部２５６は、対象面の２Ｄデータと、ユーザにより選択された基準寸法とに基づいて、対象面に配置する建材の数量、寸法、及び配置に関する配置情報を配置ルールに従って生成する（図７、図８参照）。そして、ステップＳ１５２の処理に進む。
（ステップＳ１５２）重量算出部２５７は、配置情報生成部２５６が生成した配置情報と重量情報取得部２５５が取得した重量情報とに基づいて、建材選択部２５４により選択された建材パネルを対象面に取り付ける場合の建材パネルの重量を算出する。そして、ステップＳ１６０の処理に進む。
（ステップＳ１６０）出力部２５９は、配置情報生成部２５６が生成した配置情報と重量算出部２５７が算出した重量情報を含む属性情報とを関連付けて出力する。
【００６９】
なお、図１４に示す建材配置処理の例は、２Ｄの対象面に対して建材パネルを配置する例であるが、３Ｄの対象面に対して建材パネルを配置することにも適用することができる。例えば、図１４に示す建材配置処理において、ステップＳ１１０の処理で対象面の３Ｄデータを取得し、図１２のステップＳ１４０の処理を追加して出隅部分および／または入隅部分の角度を取得し、ステップＳ１５０の処理において対象面の３Ｄデータとユーザにより選択された基準寸法とに基づいて、対象面に配置する建材の数量、寸法、及び配置に関する配置情報を配置ルールに従って生成してもよい。
【００７０】
（建材配置処理の第５例）
図１５は、本実施形態に係る建材配置処理の第５例を示すフローチャートである。この図に示す建材配置処理の例は、２Ｄの対象面に対して配置する建材パネルの寸法（見付パネルモジュールＰＭ（基準見付パネルモジュール）の寸法）と立地条件と防火性能とを選択することにより配置情報を生成するとともに、配置する建材パネルの重量情報を属性情報として付加する例である。
【００７１】
（ステップＳ１１０）対象面データ取得部２５２は、建材パネルを取り付ける対象となる対象面の２Ｄデータを対象面データ記憶部２４１から取得する。そして、ステップＳ１２０の処理に進む。
（ステップＳ１２０）受付部２５３は、入力部２３０に対するユーザの操作に基づいて、選択された建材パネルの基準寸法を受け付ける。基準寸法とは、例えば図８を参照して説明した基準となる見付パネルモジュールＰＭ（基準見付パネルモジュール）の寸法である。ユーザは、予め設定された寸法の選択肢の中から選択してもよいし、任意の寸法を指定してもよい。そして、ステップＳ１２２の処理に進む。
【００７２】
（ステップＳ１２２）受付部２５３は、入力部２３０に対するユーザの操作に基づいて、対象面を有する建物の立地条件（国、県、州、市町村、特定地域など）の選択を受け付ける。そして、ステップＳ１２４の処理に進む。
（ステップＳ１２４）受付部２５３は、入力部２３０に対するユーザの操作に基づいて、対象面を有する建物の防火性能（難燃、準不燃、不燃など）の選択を受け付ける。そして、ステップＳ１２６の処理に進む。
【００７３】
（ステップＳ１２６）建材選択部２５４は、ユーザの操作に基づいて選択された立地条件と防火性能とに基づいて建材パネルの種類を選択する。例えば、建材選択部２５４は、選択された立地条件（国、県、州、市町村、特定地域など）に基づいて防火性能、強度関連の基準（法令など）を特定し、その基準に防火性能が適合しない種類を除いた建材パネルを選択肢としてユーザに選択させる。そして、ステップＳ１３０の処理に進む。
（ステップＳ１３０）重量情報取得部２５５は、建材情報記憶部２４２の建材パネル情報を参照して、建材選択部２５４により選択された建材パネルの単位面積あたりの重量に関する重量情報を取得する。そして、ステップＳ１５０の処理に進む。
【００７４】
（ステップＳ１５０）配置情報生成部２５６は、対象面の２Ｄデータと、ユーザにより選択された基準寸法とに基づいて、対象面に配置する建材の数量、寸法、及び配置に関する配置情報を配置ルールに従って生成する（図７、図８参照）。そして、ステップＳ１５２の処理に進む。
（ステップＳ１５２）重量算出部２５７は、配置情報生成部２５６が生成した配置情報と重量情報取得部２５５が取得した重量情報とに基づいて、建材選択部２５４により選択された建材パネルを対象面に取り付ける場合の建材パネルの重量を算出する。そして、ステップＳ１６０の処理に進む。
（ステップＳ１６０）出力部２５９は、配置情報生成部２５６が生成した配置情報と重量算出部２５７が算出した重量情報を含む属性情報とを関連付けて出力する。
【００７５】
なお、図１５に示す建材配置処理の例は、２Ｄの対象面に対して建材パネルを配置する例であるが、３Ｄの対象面に対して建材パネルを配置することにも適用することができる。例えば、図１５に示す建材配置処理において、ステップＳ１１０の処理で対象面の３Ｄデータを取得し、図１２のステップＳ１４０の処理を追加して出隅部分および／または入隅部分の角度を取得し、ステップＳ１５０の処理において対象面の３Ｄデータとユーザにより選択された基準寸法とに基づいて、対象面に配置する建材の数量、寸法、及び配置に関する配置情報を配置ルールに従って生成してもよい。
【００７６】
以上説明してきたように、本実施形態に係る建材配置処理装置２０は、対象面データ取得部２５２（第１取得部の一例）と、受付部２５３と、配置情報生成部２５６と、出力部２５９とを備えている。対象面データ取得部２５２は、建材パネル（建材の一例）を取り付ける対象となる複数の対象面が含まれる３Ｄデータ（３次元データ）を記憶する対象面データ記憶部２４１（記憶部の一例）から対象面のデータを取得する。受付部２５３は、対象面に取り付ける建材パネルの基準寸法として指定された寸法に関する情報を受け付ける。配置情報生成部２５６は、対象面が含まれる３Ｄデータと、指定された寸法とに基づいて、複数の対象面に配置する建材パネルの数量、寸法、及び配置に関する配置情報を所定の配置ルールに従って生成する。出力部２５９は、配置情報生成部２５６が生成した配置情報を出力する。そして、配置情報生成部２５６は、複数の対象面のうちの第１対象面と第２対象面との出隅部分および／または入隅部分に、第１対象面と第２対象面とに渡って取り付けられる特定の形状および寸法の特定建材（役物）を配置する。
【００７７】
これにより、建材配置処理装置２０は、２次元の対象面のみならず３次元の複数の対象面に渡る出隅部分および／または入隅部分に自動で建材パネルを割り付けることができる。また、建材配置処理装置２０を利用すれば、建物の外壁の全体にわたって建材配置のデザイン（美観、強度設計など）をシミュレーションすることができるため、設計事務所や施主がより簡便に、複数個の建材配置デザインを対比検討することが可能となる。
【００７８】
例えば、配置情報生成部２５６は、受付部２５３が受け付けた寸法と第１対象面の寸法と第２対象面の寸法とに基づいて特定建材（役物）の寸法を決定するとともに、第１対象面と第２対象面との出隅部分および／または入隅部分の角度に基づいて特定建材の形状を決定する。
【００７９】
これにより、建材配置処理装置２０は、第１対象面と第２対象面とが出合う出隅部分および／または入隅部分に、出隅部分および／または入隅部分の角度に応じて折り曲げて一体化した役物となる建材パネルを配置することができる。
【００８０】
また、受付部２５３は、対象面に取り付ける建材パネルの基準寸法として任意に指定された寸法に関する情報を受け付けてもよい。これにより、建材配置処理装置２０は、対象面に取り付ける建材パネルを、予め設定された寸法から選択するだけでなく、任意の寸法を指定することができる。よって、建物の壁面などに建材パネルを配置するときの自由度を高めることができる。
【００８１】
また、建材配置処理装置２０は、重量情報取得部２５５（第２取得部の一例）と、重量算出部２５７（算出部の一例）とをさらに備えている。重量情報取得部２５５は、建材パネルに関する情報を記憶する建材情報記憶部２４２（記憶部の一例）から建材パネルの単位面積あたりの重量に関する重量情報を取得する。重量算出部２５７は、配置情報生成部２５６が生成した配置情報と重量情報取得部２５５が取得した重量情報とに基づいて、対象面に取り付ける建材パネルの重量を算出する。そして、出力部２５９は、配置情報生成部２５６が生成した配置情報と、重量算出部２５７が算出した重量に関する情報が少なくとも含まれる属性情報とを関連付けて出力する。
【００８２】
これにより、建材配置処理装置２０は、建材パネルの配置情報に加えて配置する建材パネルの重量に関する情報を、建材パネルを加工する加工業者に対して通知することができる。よって、後工程となる加工業者は、建材パネルを加工するための製作図を生成する際に、重量を考慮した取り付け構造に対応する製作図を生成することができるため、加工業者における作業効率を高めつつ、重量に耐え得る加工を施した建材パネルの製造を行うことができる。
【００８３】
例えば、上記建材パネルの重量は、建材パネルの防火性能によって異なる。これにより、建材配置処理装置２０は、防火性能を満たす建材パネルの重量に耐え得る加工を施した製造を加工業者が行えるようにすることができる。
【００８４】
また、建材配置処理装置２０は、複数種類の建材パネルの中から国ごとに定められた基準（防火性能、強度などの基準）に基づく建材を選択する建材選択部２５４をさらに備えている。そして、配置情報生成部２５６は、建材選択部２５４により選択された建材パネルを対象面に配置する建材パネルとして配置情報を生成する。また、重量算出部２５７は、建材選択部２５４により選択された建材パネルを対象面に取り付ける場合の重量を算出する。
【００８５】
これにより、建材配置処理装置２０は、国ごとの基準（防火性能、強度などの基準）に適合する建材パネルを選択することができるとともに、その建材パネルの対象面に取り付けたときの重量を算出することができる。
【００８６】
また、上記の属性情報には、対象面に取り付ける建材の色、仕上げ、またはコストに関する情報が含まれてもよい。
【００８７】
これにより、建材配置処理装置２０は、対象面に取り付ける建材の色、仕上げ、またはコストに関する情報についても、後工程となる加工業者に配置情報とともに伝達することができる。
【００８８】
また、受付部２５３は、指定された建材の色、仕上げ、または該建材を対象面に取り付ける際の向きもしくは配置パターンに関する情報をさらに受け付けてもよい。そして、配置情報生成部２５６は、受付部２５３が受け付けた情報に基づいて配置情報を生成する。
【００８９】
これにより、建材配置処理装置２０は、対象面に建材パネルを配置する際の設計自由度を高めることができ、様々な種類の建材パネルを様々な種類の配置パターンや向きでシミュレーションすることができる。
【００９０】
また、建材配置処理装置２０は、配置情報に基づいて、対象面に建材が取り付けられた状態のイメージを生成するイメージ生成部２５８、をさらに備えている。そして、出力部２５９は、イメージ生成部２５８が生成したイメージを配置情報に関連付けて出力する。
【００９１】
これにより、建材配置処理装置２０は、シミュレーションした建材パネルの配置が実際にどのようなイメージになるかを、イメージ図またはイメージ画像などで確認することができる。
【００９２】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００９３】
例えば、上記実施形態では、対象面に取り付ける建材パネルの形状が長方形または正方形の場合を例に説明したが、建材パネルの形状はこれに限られるものではなく、三角形または五角形以上の多角形でもよいし、円形、ひし形、或いは特殊な形状など様々な形状であってもよい。また、上記実施形態では、建材パネルが平面形状の平板である場合、または平面形状の平板を山折りまたは谷折りに曲げて取り付ける例を説明したが、建材パネルは、平面形状の平板に限られるものではなく、曲面や凸部、凹部などを含む３次元的な形状であってもよい。
【００９４】
なお、上述した実施形態における３Ｄ−ＣＡＤ装置１０、建材配置処理装置２０、及び設計施工支援装置３０のそれぞれの一部または全部の機能をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、３Ｄ−ＣＡＤ装置１０、建材配置処理装置２０、及び設計施工支援装置３０のそれぞれに内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００９５】
また、３Ｄ−ＣＡＤ装置１０、建材配置処理装置２０、及び設計施工支援装置３０の一部または全部を、ＬＳＩ（Ｌａｒｇｅ  Ｓｃａｌｅ  Ｉｎｔｅｇｒａｔｉｏｎ）等の集積回路として実現してもよい。また、本実施形態の３Ｄ−ＣＡＤ装置１０、建材配置処理装置２０、及び設計施工支援装置３０内の各構成要素は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【００９６】
１  設計施工支援システム、１０  ３Ｄ−ＣＡＤ装置、２０  建材配置処理装置、３０  設計施工支援装置、２１０  通信部、２２０  表示部、２３０  入力部、２４０  記憶部、２４１  対象面データ記憶部、２４２  建材情報記憶部、２４３  基準データ記憶部、２４４  配置ルール記憶部、２４５  配置情報記憶部、２５０  制御部、２５１  構造物設計データ取得部、２５２  対象面データ取得部、２５３  受付部、２５４  建材選択部、２５５  重量情報取得部、２５６  配置情報生成部、２５７  重量算出部、２５８  イメージ生成部、２５９  出力部
【図１】
2020138416.tif 000003
【図２】
2020138416.tif 000004
【図３】
2020138416.tif 000005
【図４】
2020138416.tif 000006
【図５】
2020138416.tif 000007
【図６】
2020138416.tif 000008
【図７】
2020138416.tif 000009
【図８】
2020138416.tif 000010
【図９】
2020138416.tif 000011
【図１０Ａ】
2020138416.tif 000012
【図１０Ｂ】
2020138416.tif 000013
【図１１】
2020138416.tif 000014
【図１２】
2020138416.tif 000015
【図１３】
2020138416.tif 000016
【図１４】
2020138416.tif 000017
【図１５】
2020138416.tif 000018
【国際調査報告】
2020138416.tif 000019
2020138416.tif 000020
2020138416.tif 000021
2020138416.tif 000022